(57)【要約】【課題】  放射線撮影の撮影形態に適した目標線量指標を選択し、線量指標を適切に評価することができる放射線撮影装置、放射線撮影システム及び線量指標管理方法を提供する。【解決手段】  放射線撮影の撮影形態に基づいて、放射線撮影における目標線量指標を選択する選択部１１３と、被検者を透過した放射線に基づく画像データから線量指標を取得する線量指標取得部１１５と、目標線量指標に対する前記線量指標の偏差指標を算出する算出部１１６とを備える。若しくは、放射線撮影の撮影形態の情報とともに、目標線量指標と線量指標を表示部４０に表示させる表示制御部１１８を備える。【選択図】  図１
2020099827.tif 000002
【特許請求の範囲】
【請求項１】
放射線撮影の撮影形態に基づいて、放射線撮影における目標線量指標を選択する選択手段と、
被検者を透過した放射線に基づく画像データから線量指標を取得する線量指標取得手段と、
前記目標線量指標に対する前記線量指標の偏差指標を算出する算出手段とを備えることを特徴とする放射線撮影装置。
【請求項２】
前記放射線撮影の撮影形態は、放射線に基づく散乱線を遮蔽するグリッドの装着状態であることを特徴とする請求項１に記載の放射線撮影装置。
【請求項３】
前記グリッドが放射線撮影装置に装着される場合、前記選択手段は第一の目標線量指標を選択し、前記グリッドが放射線撮影装置に装着されない場合、前記選択手段は第二の目標線量指標を選択することを特徴とする請求項２に記載の放射線撮影装置。
【請求項４】
複数の目標線量指標を記憶する記憶手段を備え、前記選択手段は、放射線撮影の撮影形態に基づいて、複数の目標線量指標から１つの目標線量指標を選択することを特徴とする請求項１に記載の放射線撮影装置。
【請求項５】
前記記憶手段は、放射線に基づく散乱線を遮蔽するグリッドが放射線撮影装置に装着される場合を想定した目標線量指標と、前記グリッドが放射線撮影装置に装着されない場合を想定した目標線量指標を識別して記憶することを特徴とする請求項４に記載の放射線撮影装置。
【請求項６】
前記線量指標の偏差指標が予め設定された一定の許容範囲であるか否かを判定する判定手段を備えることを特徴とする請求項１に記載の放射線撮影装置。
【請求項７】
前記判定手段より前記線量指標の偏差指標が許容範囲ではないと判定された場合、警告情報を生成する情報生成手段を備えることを特徴とする請求項６に記載の放射線撮影装置。
【請求項８】
前記画像データを解析してグリッドの装着状態を判定するグリッド装着判定部を備えることを特徴とする請求項１に記載の放射線撮影装置。
【請求項９】
前記選択手段は、放射線に基づく散乱線を遮蔽するグリッドの種類に応じて、前記目標線量指標を選択することを特徴とする請求項１に記載の放射線撮影装置。
【請求項１０】
前記選択手段は、前記画像データを画像処理手段における画像処理に応じて、前記目標線量指標を選択することを特徴とする請求項１に記載の放射線撮影装置。
【請求項１１】
前記放射線撮影の撮影形態の情報とともに、前記目標線量指標に対する前記線量指標の偏差指標を表示部に表示させる表示制御手段とを備えることを特徴とする請求項１に記載の放射線撮影装置。
【請求項１２】
放射線撮影の撮影形態に基づいて、放射線撮影における目標線量指標を選択する選択手段と、
被検者を透過した放射線に基づく画像データから線量指標を取得する線量指標取得手段と、
前記放射線撮影の撮影形態の情報とともに、前記目標線量指標と前記線量指標を表示部に表示させる表示制御手段とを備えることを特徴とする放射線撮影装置。
【請求項１３】
前記線量指標が予め設定された一定の許容範囲であるか否かを判定する判定手段を備えることを特徴とする請求項１２に記載の放射線撮影装置。
【請求項１４】
前記判定手段より前記線量指標が許容範囲でないと判定された場合、警告情報を生成する情報生成手段を備えることを特徴とする請求項１３に記載の放射線撮影装置。
【請求項１５】
請求項１乃至１４に記載された放射線撮影装置と、放射線を発生させる放射線発生装置とを備える放射線撮影システム。
【請求項１６】
放射線撮影の撮影形態に基づいて、放射線撮影における目標線量指標を選択するステップと、
被検者を透過した放射線に基づく画像データから線量指標を取得するステップと、
前記目標線量指標に対する前記線量指標の偏差指標を算出するステップとを含む線量指標管理方法。
【請求項１７】
放射線撮影の撮影形態に基づいて、放射線撮影における目標線量指標を選択するステップと、
被検者を透過した放射線に基づく画像データから線量指標を取得するステップと、
前記放射線撮影の撮影形態の情報とともに、前記目標線量指標と前記線量指標を表示部に表示させるステップとを含む線量指標管理方法。
【発明の詳細な説明】
【技術分野】
【０００１】
本発明は、放射線撮影を制御するソフトウェア、または放射線を撮影する放射線撮影装置、放射線撮影システム及び線量指標管理方法に関するものである。
【背景技術】
【０００２】
近年、放射線発生装置から放射線撮影装置に放射線が照射され、放射線撮影装置が放射線画像を生成し、放射線画像を表示することができる放射線撮影システムが普及している。
【０００３】
また、放射線撮影装置は、放射線画像から取得される代表画素値に基づいて線量に相当する線量指標を算出することができる。特許文献１に記載された放射線撮影装置では、撮影部位ごとに目標とすべき目標線量指標が設定され、実際に算出された線量指標と目標線量指標とにより、撮影時の線量が適切であったかを操作者が評価することを可能としている。
【先行技術文献】
【特許文献】
【０００４】
【特許文献１】特開２００９−２６８８０１公報
【発明の概要】
【発明が解決しようとする課題】
【０００５】
放射線撮影装置にグリッドを装着して放射線撮影を行う場合、グリッドが放射線に基づく散乱線と放射線の一部を吸収する。そのため、放射線発生装置から発生される放射線の線量が同一であっても、グリッドを装着しない場合に比べて、放射線画像から算出される線量指標が小さくなる。つまり、放射線撮影の撮影形態（例えば、グリッドの有無）によって放射線画像から算出される線量指標が変化する。上記特許文献では、放射線撮影の撮影形態を考慮して目標線量指標を選択することについて言及されていない。
【０００６】
そこで本発明は、放射線撮影の撮影形態に適した目標線量指標を選択し、線量指標を適切に評価することができる放射線撮影装置、放射線撮影システム及び線量指標管理方法を提供することを目的とする。
【課題を解決するための手段】
【０００７】
本発明の目的を達成するために、本発明の放射線撮影装置は、放射線撮影の撮影形態に基づいて、放射線撮影における目標線量指標を選択する選択手段と、被検者を透過した放射線に基づく画像データから線量指標を取得する線量指標取得手段と、前記目標線量指標に対する前記線量指標の偏差指標を算出する算出手段とを備える。若しくは、本発明の放射線撮影装置は、前記放射線撮影の撮影形態の情報とともに、前記目標線量指標と前記線量指標を表示部に表示させる表示制御手段を備える。
【発明の効果】
【０００８】
本発明によれば、放射線撮影の撮影形態に適した目標線量指標を選択し、線量指標を適切に評価することができる。
【図面の簡単な説明】
【０００９】
【図１】本発明の放射線撮影システムの構成の一例を示すブロック図。
【図２】本発明の放射線撮影装置の構成の一例を示すブロック図。
【図３】本発明の目標線量指標を設定する表示部の画面の一例を示す図。
【図４】本発明の放射線画像等を表示する表示部の画面の一例を示す図。
【図５】本発明の実施例１における動作を示すフローチャート。
【図６】本発明の放射線撮影装置の構成の一例を示すブロック図。
【図７】本発明の線量警告機能の許容範囲を設定する画面表示の一例を示す図。
【図８】本発明の警告情報を表示する表示部の画面の一例を示す図。
【図９】本発明の放射線撮影装置の構成の一例を示すブロック図。
【図１０】本発明の実施例３における動作を示すフローチャート。
【発明を実施するための形態】
【００１０】
以下、添付の図面を参照して、本発明の実施の形態について説明する。
【実施例１】
【００１１】
図１は、本発明の放射線撮影システムの構成の一例を示したものである。放射線撮影システムは、放射線を発生する放射線発生装置２０と、放射線を撮影する放射線撮影装置１０と、放射線撮影装置１０によって撮影された放射線に基づく放射線画像を表示する表示部４０と、操作者が各種情報を入力する入力部６０とを備えている。入力部６０はキーボード、ボタン、タッチパネル等であり、操作者が各種情報を入力する。
【００１２】
放射線発生装置２０は、放射線を発生する機能を有している。放射線発生装置２０は、所定の照射範囲に放射線を照射することができる。放射線発生装置２０は、床面又は天井に設置された支持部（図示しない。）を介して設置されている。放射線発生装置２０の照射面には、放射線を遮蔽する絞り（図示しない。）が設置されている。操作者は、放射線を遮蔽する絞りを制御することにより、放射線発生装置２０から照射される放射線の照射範囲を設定することができる。
【００１３】
放射線撮影装置１０は、被検者３０を透過した放射線を撮影し、画像データを生成する撮影部１０１と、画像データを処理して放射線画像を表示部４０へ出力する制御部１０２とを備えている。
【００１４】
撮影部１０１は、被検者３０を透過した放射線を検出して電気信号に変換し、画像データを生成する。撮影部１０１は、被検者３０を透過した放射線を透過放射線量に相当する電荷として検出する。例えば、撮影部１０１には、放射線を電荷に変換するａ−Ｓｅなどの放射線を直接的に電荷に変換する直接変換型センサや、ＣｓＩなどのシンチレータとａ−Ｓｉなどの光電変換素子を用いた間接型センサが用いられる。撮影部１０１は、検出された電荷をＡ／Ｄ変換することにより、画像データを生成する。そして、撮影部１０１は、画像データを制御部１０２へ出力する。
【００１５】
制御部１０２は、ＣＰＵ、メモリなどの制御に必要な構成要素を有している。ＣＰＵはマイクロプロセッサであり、撮影処理、画像処理、表示制御処理などのための演算、論理判断等を行い、制御部１０２のデバイスを制御する。メモリは、読み書き可能なランダムアクセスメモリであって、主記憶としてデバイスからの各種データの一時記憶に用いられる。制御部１０２は、パーソナルコンピュータなどにソフトウェアをインストールした構成を想定しているが、専用のハードウェアユニットを用いてもよい。また、放射線撮影装置１０の撮影部１０１と制御部１０２は、別体にて構成されているが、別体に限るわけではなく、撮影部１０１内に制御部１０２の機能の一部を内蔵することも可能である。
【００１６】
制御部１０２は、放射線撮影を行うために撮影部１０１を制御することができる。制御部１０２は、画像データの画像処理などの各種処理を行ない、処理された画像データを放射線画像として表示部４０に出力する。また、制御部１０２は、表示部４０を制御して、放射線画像等の表示形態を設定することもできる。
【００１７】
表示部４０は、液晶ディスプレイ、ＣＲＴなどであり、放射線撮影装置１０から出力された放射線画像と入力部６０から入力された各種情報を表示する。
【００１８】
グリッド５０は、放射線撮影装置１０に装着される。グリッド５０は、放射線に基づく散乱線を遮蔽する機能を有している。グリッド５０は、複数の金属箔を備えており、放射線発生装置１０から発生して被検者３０を透過した放射線のうち、被検者３０で散乱した散乱線と一部の放射線を吸収する。
【００１９】
被検者３０の撮影部位に合わせて、放射線撮影装置１０の撮像部１０１を覆うようにグリッド５０が装着される。例えば、被検者３０の撮影部位が腹部であれば、放射線撮影装置１０にグリッド５０が装着される。被検者３０の撮影部位が四肢であれば、散乱線が微弱であるため、放射線撮影装置１０にグリッド５０が装着されなくてもよい。
【００２０】
放射線撮影システムは、グリッド５０の装着状態を検知するグリッド装着検知部１０３を備えている。グリッド装着検知部１０３は、放射線撮影装置１０を保持する保持部内に設置されていてもよいし、放射線撮影装置１０内に設置されていてもよい。グリッド装着検知部１０３は、グリッド５０が放射線撮影装置１０に装着されているか否かを検知する。グリッド５０の装着の検知については、接触センサ、磁気センサ、圧力センサ等によりグリッド５０を物理的に検知する。
【００２１】
図２は、本発明の放射線撮影システムにおける放射線撮影装置１０の構成を示す図である。放射線撮影装置１０は、目標線量指標を設定する設定部１１１と、設定部１１１で設定された複数の目標線量指標を記憶する記憶部１１２とを備えている。
【００２２】
放射線撮影装置１０は、記憶部１１２に記憶された複数の目標線量指標から目標線量指標を選択する選択部１１３と、選択された目標線量指標を保持する保持部１１４とを備えている。また、放射線撮影装置１０は、被検者３０を透過した放射線に基づく画像データから線量指標を取得する線量指標取得部１１５と、目標線量指標に対する線量指標の偏差指標を算出する算出部１１６とを備えている。
【００２３】
放射線撮影装置１０は、撮影部１０１から出力される画像データを処理して放射線画像を生成する画像処理部１１７と、放射線画像と目標線量指標に対する線量指標の偏差指標とを表示部４０に表示させる表示制御部１１８とを備えている。
【００２４】
線量指標取得部１１５は、撮影部１０１から出力される画像データから線量指標を取得する。線量指標は、例えば、Ｅｘｐｏｓｕｒｅ  Ｉｎｄｅｘ（ＥＩ）である。線量指標は、放射線撮影に用いられた線量を評価するための値である。ＥＩは、国際電気標準会議（Ｉｎｔｅｒｎａｔｉｏｎａｌ＿Ｅｌｅｃｔｒｉｃ＿Ｃｏｎｆｅｒｅｎｃｅ：ＩＥＣ）にてＩＥＣ６２４９４−１として規格化された指標である。
【００２５】
具体的には、まず、線量指標取得部１１５は、撮影部１０１から出力される画像データにおいて所定の関心領域を設定し、関心領域における代表画素値を算出する。代表画素値とは、平均値、中央値および最頻値等の画素値である。線量指標取得部１１５は、既知となっている入射線量と画素値との関係に基づいて、代表画素値を線量に換算する。そして、線量指標取得部１１５は、換算された線量に定数を乗じて、線量指標（ＥＩ）を算出する。なお、線量指標取得部１１５は、線量指標としてＥＩを算出したが、撮影部１０１に到達した線量が相対的に多いか、少ないかを判定することが可能な線量指標であれば、ＥＩ以外の線量指標が用いられてもよい。線量指標取得部１１５によって取得された線量指標は、算出部１１６に出力される。
【００２６】
ここで、目標線量指標を設定する設定部１１１について、図３を用いて説明する。図３は、設定部１１１において複数の異なる目標線量指標を設定する表示部４０の画面の一例を示す。目標線量指標を設定する設定画面は、表示部４０に表示される。ここでは、目標線量指標名４０１と目標線量指標入力欄４０２と線量指標参考値４０３が表示される。目標線量指標入力欄４０２における目標線量指標（設定値）は入力部６０によって入力される。ここでは、Ｅｘｐｏｓｕｒｅ  Ｉｎｄｅｘ  Ｔａｒｇｅｔ（ＥＩｔ）が目標線量指標として設定される。ＥＩｔは、ＩＥＣ６２４９４−１として規格化された指標である。
【００２７】
目標線量指標名４０１として、被検者３０の検査オーダに紐付けられる少なくとも１つの目標線量指標名が表示される。目標線量指標名は、被検者３０の撮影部位（腹部、四肢など）に紐付けられていてもよい。例えば、被検者３０の撮影部位が腹部であれば、放射線撮影装置１０にグリッド５０が装着されるとして、目標線量指標名などが設定されてもよい。被検者３０の撮影部位が四肢であれば、放射線撮影装置１０にグリッド５０が装着されないとして、目標線量指標名などが設定されてもよい。
【００２８】
ここでは、目標線量指標名４０１として、グリッド５０が放射線撮影装置１０に装着される場合を想定した目標線量指標ＥＩｔ（ｇｌｉｄ）の名称が表示される。また、目標線量指標名４０１として、グリッド５０が放射線撮影装置１０に装着されない場合を想定した目標線量指標ＥＩｔ（ｇｌｉｄｌｅｓｓ）の名称が表示される。
【００２９】
目標線量指標入力欄４０２は、少なくとも１つの目標線量指標を入力可能とする。操作者は、入力部６０を介して、目標線量指標ＥＩｔを入力することができる。具体的には、操作者は、入力部６０を介して、グリッド５０が放射線撮影装置１０に装着される場合を想定した目標線量指標ＥＩｔ（ｇｌｉｄ）を入力することができる。また、操作者は、入力部６０を介して、グリッド５０が放射線撮影装置１０に装着されない場合を想定した目標線量指標ＥＩｔ（ｇｌｉｄｌｅｓｓ）を入力することができる。
【００３０】
線量指標参考値４０３は、過去に撮影された放射線画像から算出された線量指標ＥＩである。線量指標参考値４０３は、操作者が目標線量指標入力欄４０２に目標線量指標を設定する際の参考値となる。例えば、線量指標参考値４０３は、グリッド５０が放射線撮影装置１０に装着された場合と装着されない場合とにおいて過去に撮影された複数の放射線画像から算出された複数の線量指標ＥＩにおける統計値（例えば、平均値）である。
【００３１】
目標線量指標ＥＩｔ（ｇｌｉｄ）に対応する線量指標参考値４０３は、グリッド５０が放射線撮影装置１０に装着された状態で過去に撮影された放射線画像から算出された線量指標ＥＩである。目標線量指標ＥＩｔ（ｇｌｉｄｌｅｓｓ）に対応する線量指標参考値４０３は、グリッド５０が放射線撮影装置１０に装着されなかった状態で過去に撮影された放射線画像から算出された線量指標ＥＩである。
【００３２】
なお、図３で示した目標線量指標を設定する画面の情報は全てが表示される必要はなく、少なくとも目標線量指標名４０１と目標線量指標入力欄４０２が表示されていればよい。
【００３３】
記憶部１１２は、図３で示した目標線量指標を設定する設定画面で設定された複数の目標線量指標を記憶する。記憶部１１２は、グリッド５０が放射線撮影装置１０に装着された場合を想定した目標線量指標ＥＩｔ（ｇｌｉｄ）と、グリッド５０が放射線撮影装置１０に装着されない場合を想定した目標線量指標ＥＩｔ（ｇｌｉｄｌｅｓｓ）を識別して記憶する。記憶部１１２は、目標線量指標ＥＩｔ（ｇｌｉｄ）を第一の目標線量指標、目標線量指標ＥＩｔ（ｇｌｉｄｌｅｓｓ）を第二の目標線量指標として記憶することができる。
【００３４】
選択部１１３は、放射線撮影の撮影形態に基づいて、放射線撮影における目標線量指標を選択する。放射線撮影の撮影形態とは、例えば、グリッド５０の装着状態である。グリッド５０が放射線撮影装置１０に装着される場合、選択部１１３によって目標線量指標ＥＩｔ（ｇｌｉｄ）が選択される。グリッド５０が放射線撮影装置１０に装着されない場合、選択部１１３によって目標線量指標ＥＩｔ（ｇｌｉｄｌｅｓｓ）が選択される。
【００３５】
保持部１１４は、選択部１１３で選択された目標線量指標を保持する。保持部１１４に保持された目標線量指標は、撮影部１０１から出力された画像データから取得される線量指標に対応している。つまり、保持部１１４に保持された目標線量指標と線量指標取得部１１５で取得された線量指標の元となる画像データの撮影形態（グリッドの装着状態）は同じである。
【００３６】
算出部１１６は、線量指標取得部１１５から出力される線量指標ＥＩと保持部１１４（選択部１１３）から出力される目標線量指標ＥＩｔに基づいて、目標線量指標ＥＩｔに対する線量指標ＥＩの偏差指標を算出する。
【００３７】
偏差指標であるＤｅｖｉａｔｉｏｎ  Ｉｎｄｅｘ（ＤＩ）は、ＩＥＣ６２４９４−１として規格化された指標である。具体的には、偏差指標ＤＩは、下記式によって算出される。
ＤＩ＝１０  ｌｏｇ１０（ＥＩ／ＥＩｔ）
【００３８】
一般的に、偏差指標ＤＩが０より大きい場合は通常より線量が高い、偏差指標ＤＩが０より小さい場合は通常より線量が低いとみなされる。算出部１１６によって算出された偏差指標ＤＩは、表示制御部１１８に出力される。
【００３９】
画像処理部１１７は、撮影部１０１から出力された画像データに対して、ノイズ除去、階調処理などの画像処理を行う機能を有している。また、画像処理部１１７は、撮像部１０１から出力された画像データに対してトリミングや回転といった画像処理を行なうこともできる。画像処理部１１７によって画像処理された画像データは放射線画像として表示制御部１１８に出力される。
【００４０】
表示制御部１１８は、放射線画像を表示部４０に表示させる。表示制御部１１８は、放射線撮影の撮影形態の情報とともに、目標線量指標に対する線量指標の偏差指標を表示させてもよい。また、表示制御部１１８は、放射線撮影の撮影形態の情報とともに、目標線量指標と線量指標を表示部４０に表示させてもよい。
【００４１】
表示部４０の具体的な表示形態について、図４を用いて説明する。図４に示すように、表示部４０は、画像処理部１１７で画像処理された放射線画像４１０を表示する。放射線画像４１０に隣接する領域に線量指標取得部１１５で取得された線量指標４１１が表示部４０に表示される。そして、算出部１１６で算出された目標線量指標に対する線量指標の偏差指標４１２と、選択部１１３で選択された目標線量指標４１３とが表示部４０に表示される。
【００４２】
表示部４０に表示される目標線量指標４１３には、グリッド５０の装着状態を示す情報が含まれる。ＥＩｔ（ｇｌｉｄ）であれば、グリッド５０が放射線撮影装置１０に装着されていることを示している。ＥＩｔ（ｇｌｉｄｌｅｓｓ）であれば、グリッド５０が放射線撮影装置１０に装着されないことを示している。操作者は、グリッド５０の装着状態を示す情報によって、グリッド５０が装着される場合の目標線量指標ＥＩｔであるのか、グリッド５０が装着されない場合の目標線量指標ＥＩｔであるのかを認識することができる。なお、表示部４０は、グリッド５０の装着状態にかかわらず、記憶部１１２に記憶された目標線量指標を全て表示してもよいし、保持部１１４で保持された目標線量指標を表示してもよい。これらの情報は全てが表示される必要はなく、操作者の設定によって表示する項目を個別に設定できるようにしてもよい。
【００４３】
図４に示すように、線量指標取得部１１５で取得された線量指標４１１が「１２６」であり、選択部１１３で選択された目標線量指標４１３が「１００」である場合、上述した数１に基づいて算出される目標線量指標に対する線量指標の偏差指標４１２が「＋１」となる。操作者は、偏差指標ＤＩが０より大きいため、通常より線量が高いと認識することができる。その際、操作者は、グリッド５０が放射線撮影装置１０に装着された状態において偏差指標４１２が算出されたことも認識することができる。
【００４４】
本発明では、表示部４０は、少なくとも、放射線画像４１０と、線量指標４１１と、偏差指標４１２又は目標線量指標４１３を同一画面に表示する。操作者は、偏差指標４１２によって、撮影部１０１に到達した線量が相対的に高いか、低いかを認識することができる。また、操作者は、目標線量指標４１３に対して線量指標４１２がどれだけ高いか低いかを認識することができる。
【００４５】
ここで、本発明の放射線撮影システムの動作について、図５に示すフローチャートを用いて説明する。
【００４６】
ステップＳ５０１において、操作者は、被検者３０の撮影部位等が設定された検査オーダを選択する。
【００４７】
ステップＳ５０２において、操作者は、撮影に用いる放射線撮影装置１０（センサ）を選択する。放射線撮影装置１０においてグリッド５０を検知するグリッド検知機能を有していない場合や、物理的にグリッド５０の使用を判定できない場合に関しては他の実施例で説明する。
【００４８】
ステップＳ５０３において、グリッド装着検知部１０３はグリッド５０３が装着されているか判定を行う。グリッド装着検知部１０３は、放射線撮影装置１０の装着による重量の変化や放射線撮影システムに設けられたカメラの情報などといった、外部の手段によって物理的にグリッド５０の装着を検知してもよい。なお、グリッド装着検知部１０３は必ずしも必要ではなく、操作者は、入力部６０を介して、グリッド５０が装着されているかを手動で入力することもできる。入力部６０によって入力されたグリッド５０の装着情報は制御部１０２に出力される。
【００４９】
グリッド５０が放射線撮影装置１０に装着される場合にはステップＳ５０４へ、グリッド５０が放射線撮影装置１０に装着されてない場合にはステップＳ５０５へと処理が移行する。
【００５０】
ステップＳ５０４において、選択部１１３は記憶部１１２に記憶された少なくとも１つ以上の目標線量指標の中から、グリッド５０が放射線撮影装置１０に装着される場合の目標線量指標を選択する。選択部１１３によって選択された目標線量指標は保持部１１４において保持される。
【００５１】
ステップＳ５０５において、選択部１１３は記憶部１１２に記憶された少なくとも１つ以上の目標線量指標の中から、グリッド５０が放射線撮影装置１０に装着されない場合の目標線量指標を選択する。選択部１１３によって選択された目標線量指標は保持部１１４において保持する。
【００５２】
ステップＳ５０６において、操作者は放射線撮影を行う。撮影部１０１は、被検者３０を透過した放射線を検出して電気信号に変換し、画像データを出力する。
【００５３】
ステップＳ５０７において、線量指標取得部１１５は、画像データから線量指標を取得する。
【００５４】
ステップＳ５０８において、表示部４０に線量指標が表示される。また、表示部４０は、放射線撮影の撮影形態の情報とともに、線量指標と、偏差指標又は目標線量指標を同一画面に表示する。操作者は、今回の撮影での線量指標が許容範囲であるか確認することができる。
【００５５】
以上、本実施例の放射線撮影システム（放射線撮影装置）によれば、放射線撮影の撮影形態（グリッドの有無）に基づいて、放射線撮影における目標線量指標を選択する選択部１１３と、被検者を透過した放射線に基づく画像データから線量指標を取得する線量指標取得部１１５と、選択部１１３で選択された目標線量指標に対する線量指標の偏差指標を算出する算出部１１６とを備える。若しくは、放射線撮影システム（放射線撮影装置）は、放射線撮影の撮影形態の情報とともに、選択部１１３で選択された目標線量指標と線量指標を表示させる表示制御部１１８を備える。よって、操作者は、撮影形態に適した目標線量指標を選択し、操作者は線量指標を適切に評価することができる。
【実施例２】
【００５６】
実施例２について、図６〜図８を用いて説明する。実施例１と異なる点は、線量指標が予め設定された一定の許容範囲であるか否かを判定する判定部１２０を備える点である。
【００５７】
図６は、本発明の放射線撮影装置１０の構成を示す図である。判定部１２０と情報生成部１２１以外は、図２の構成と同様であるため、判定部１２０と情報生成部１２１以外の説明は省略する。
【００５８】
判定部１２０は、線量指標取得部１１５で取得した線量指標と、保持部１１４で保持された目標線量指標とを用いて、線量指標が予め設定された一定の許容範囲であるか否かを判定する。
【００５９】
線量指標が許容範囲でない（許容範囲外）と判定部１２０が判定した場合、情報生成部１２１は警告情報を生成する。情報生成部１１８は、判定部１２０より線量指標が許容範囲でないと判定された場合に、警告情報を生成する。
【００６０】
表示制御部１２０は、画像処理部１１９から出力された放射線画像と、情報生成部１２１により生成された警告情報から操作者に提示する画面を生成し、表示部４０で表示する画面の表示状態を制御する。
【００６１】
図７は、線量警告機能の許容範囲となる上限値と下限値を設定する画面表示の一例を示す。線量警告機能とは、判定部１２０が今回撮影された画像データの線量指標が適切な線量の範囲外であると判定した場合に、操作者にその旨を警告するための機能である。具体的には、線量警告機能を有効にする場合にチェックを付ける線量警告機能のチェックボックス５０１が表示される。図７では、チェックボックス５０１にチェックが付けられているため、線量警告機能が有効にされたことを示している。
【００６２】
線量警告機能が有効にされた場合、どの指標を用いて線量警告機能を使用するかを選択する指標選択ボタン５０２が表示される。本実施例では、感度指標ＲＥＸ、線量指標ＥＩ、偏差指標ＤＩから選択できるようになっている。
【００６３】
また、線量指標が許容範囲であることを判定する上限値または下限値の設定を有効にする場合にチェックを付ける線量判定基準値のチェックボックス５０３から５０６と、線量指標が許容範囲であることを判定する上限値または下限値を入力する線量判定基準値入力欄５０７から５１０が設定画面の構成要素である。なお、これらの情報は全てが表示される必要はなく、線量判定基準値チェック５０３から５０６と線量判定基準値入力欄５０７から５１０は少なくとも１つ以上であればよい。
【００６４】
設定された目標線量指標と線量警告機能の許容範囲となる上限値と下限値は判定部１２０に記憶される。判定部１２０は、目標線量指標を用いて今回の撮影での線量指標が許容範囲であるか判定を行う。具体的には、判定部１２０は、目標線量指標の許容範囲の上限値と、今回の撮影での線量指標とを比較し、今回の線量指標が大きいか否かを判定する。さらに、判定部１２０は、目標線量指標の許容範囲の下限値と、今回の撮影の線量指標とを比較し、今回の線量指標が小さいか否かを判定する。線量指標が許容範囲外であると判定された場合、情報生成部１２１で警告情報を生成する。
【００６５】
図８は、情報生成部１２１が生成する警告情報の表示画面の一例を示す。具体的には、警告情報６０１と、選択された検査オーダに対応した目標線量指標の撮影形態６０２と、今回の撮影において線量指標取得部１１５により取得された線量指標６０３とが表示される。また、保持部１１４に保持された目標線量指標６０４と、線量判定基準値入力欄５０７から５１０に設定された許容範囲の情報６０５とが表示される。警告情報６０１としては、例えば「線量指標がグリッド撮影の目標線量指標の許容範囲上限値を超えています。放射線発生装置の設定または撮影条件を確認してください。」が表示される。表示制御部１２０は、画像処理部１１７で画像処理された放射線画像と、情報生成部１１８で生成された警告情報、または線量指標と目標線量指標とを表示する画面を表示部４０で表示する画面の表示状態を制御する。
【００６６】
なお、これらの情報は全てが表示される必要はなく、少なくとも警告情報６０１と撮影形態６０２を含むいずれかが表示されればよい。情報生成部１２１は、今回の撮影において線量指標取得部１１５により取得された線量指標が許容範囲である場合は警告情報の生成は行わない。
【００６７】
また、判定部１２０は、線量指標の偏差指標が予め設定された一定の許容範囲であるか否かを判定してもよい。線量指標の偏差指標が許容範囲でない（許容範囲外）と判定部１２０が判定した場合、情報生成部１２１は警告情報を生成する。
【００６８】
以上、本実施例の放射線撮影システム（放射線撮影装置）によれば、線量指標（偏差指標）が予め設定された一定の許容範囲であるか否かを判定し、警報情報を操作者に通知することができる。よって、操作者は、放射線撮影に適した線量を放射線発生部２０に設定することができる。
【実施例３】
【００６９】
実施例３について、図９、１０を用いて説明する。実施例１、２と異なる点は、撮影部１０１から出力される画像データを解析してグリッド５０の装着状態を判定するグリッド装着判定部１３０を備え、選択部１１３はグリッドの装着状態に応じて目標線量指標を選択する点である。
【００７０】
図９は、本発明の放射線撮影装置１０の構成を示す図である。グリッド装着判定部１３０以外は、図２の構成と同様であるため、グリッド装着判定部１３０以外の説明は省略する。
【００７１】
画像処理部１１７は、撮影部１０１から出力された画像データに対して、画像処理を行い、グリッド装着判定部１３０に出力する。グリッド装着判定部１３０は、画像データから、その撮影においてグリッド５０が装着されたか否かを判定する。具体的には、グリッド装着判定部１３０は、画像データにおいてグリッド５０によって生じる縞模様であるグリッド縞の有無を検出する。具体的には、グリッド装着判定部１３０は、画像データを周波数解析した周波数スペクトルにおけるある周波数成分においてピークが存在するか否かを判定する。グリッド装着判定部１３０は、周波数スペクトルにピークが存在する場合はグリッド５０が装着されていると判定し、ピークが存在しない場合はグリッド５０が装着されていないと判定する。
【００７２】
グリッド装着判定部１３０は、画像データを解析して取得されたグリッド５０の装着状態について、選択部１１３に出力する。選択部１１３は、グリッド５０の装着状態に基づいて、放射線撮影における目標線量指標を選択する。このように、グリッド５０が放射線撮影装置１０に装着された場合、選択部１１３によって目標線量指標ＥＩｔ（ｇｌｉｄ）が選択される。グリッド５０が放射線撮影装置１０に装着されない場合、選択部１１３によって目標線量指標ＥＩｔ（ｇｌｉｄｌｅｓｓ）が選択される。
【００７３】
ここで、本発明の放射線撮影システムの動作について、図１０に示すフローチャートを用いて説明する。
【００７４】
ステップＳ５０１〜ステップＳ５０８の各処理はそれぞれ図５の各処理と同様であるため、詳細な説明については省略する。
【００７５】
ステップＳ１０００において、グリッド装着判定部１３０は、撮影部１０１によって撮影された画像データから、その撮影においてグリッドが装着されたか否かを判定する。グリッド５０が放射線撮影装置１０に装着された場合にはステップＳ５０４へ、グリッド５０が放射線撮影装置１０に装着されていない場合にはステップＳ５０５へと処理が移行する。
【００７６】
以上、本実施例の放射線撮影システム（放射線撮影装置）によれば、画像データからグリッド５０の装着状態を判定して目標線量指標を選択することができる。よって、グリッド装着検知部１０３を用いなくても、撮影形態に適した目標線量指標が選択されるため、操作者は線量指標を適切に評価することができる。
【実施例４】
【００７７】
実施例４について、図２、図９を用いて説明する。実施例１〜３と異なる点は、選択部１１３はグリッド５０の種類に応じて、目標線量指標を選択する点である。
【００７８】
図１に示すグリッド装着検知部１０３は、グリッド５０の種類を検知する。グリッド５０には、グリッドの種類を特定するためのマーカが設けられている。グリッド装着検知部１０３がマーカを読み取ることにより、グリッド５０の種類を検知することができる。また、図９に示すグリッド装着判定部１３０は、撮影部１０１から出力される画像データを解析して、グリッド５０によって生じる縞模様であるグリッド縞に基づいてグリッド５０の種類を検知することができる。
【００７９】
グリッド５０は、放射線撮影装置１０の撮像部１０１を覆うように装着される。グリッド５０は、複数の金属箔を備えており、放射線発生装置１０から発生して被検者３０を透過した放射線のうち、被検者３０で散乱した散乱線を吸収する。
【００８０】
グリッド５０の種類は、グリッド比とグリッド密度によって規定される。グリッド比は、金属箔の高さと隣接する金属箔との間隔の比である。グリッド比は、例えば、６：１、８：１、１０：１などである。グリッド密度は、横１ｃｍあたりの金属箔の数である。グリッド密度は、例えば、４０本／ｃｍ、６０本／ｃｍ、８０本／ｃｍなどである。
【００８１】
グリッド装着検知部１０３又はグリッド装着判定部１３０は、放射線撮影装置１０に装着されたグリッド５０について、例えばグリッド比が６：１、グリッド密度が６０本／ｃｍであると検知することができる。
【００８２】
選択部１１３はグリッド５０の種類に応じて、目標線量指標を選択する。例えば、グリッド５０のグリッド密度（８０本／ｃｍ）が高ければ、グリッド５０によって放射線が遮蔽されてしまうため、相対的に低い目標線量指標が選択される。グリッド５０のグリッド密度（４０本／ｃｍ）が低ければ、相対的に高い目標線量指標が選択される。
【００８３】
以上、本実施例の放射線撮影システム（放射線撮影装置）によれば、グリッド５０の種類に適した目標線量指標が選択されるため、操作者は線量指標を適切に評価することができる。
【実施例５】
【００８４】
実施例５について、図２を用いて説明する。実施例１〜４と異なる点は、選択部１１３は画像処理部１１７における画像処理に応じて目標線量指標を選択する点である。
【００８５】
被検者３０の撮影部位に合わせて、放射線撮影装置１０にグリッド５０が装着されることを説明したが、画像処理部１１７の画像処理（散乱線低減処理）を行えば、グリッド５０が装着不要となることもある。例えば、被検者３０の撮影部位が腹部であっても、放射線撮影装置１０にグリッド５０が装着されない場合がある。画像処理部１１７において散乱線低減処理が実施された場合、グリッド５０が放射線撮影装置１０に装着されていないと認識することもできる。つまり、画像処理部１１７において散乱線低減処理が実施された場合、グリッド５０が放射線撮影装置１０に装着されない場合と同様に、選択部１１３によって目標線量指標ＥＩｔ（ｇｌｉｄｌｅｓｓ）が選択される。
【００８６】
以上、本実施例の放射線撮影システム（放射線撮影装置）によれば、画像処理部１１７の画像処理（散乱線低減処理）に応じてグリッド５０の装着状態を判定して目標線量指標を選択することができる。よって、グリッド装着検知部１０３を用いなくても、撮影形態に適した目標線量指標が選択されるため、操作者は線量指標を適切に評価することができる。
【００８７】
以上、本発明は、上述の実施例の１以上の機能（特に線量指標管理方法）を実現するプログラムを、ネットワーク又は記憶媒体を介して放射線撮影システム又は放射線撮影装置に供給し、放射線撮影システム又は放射線撮影装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８８】
１０  放射線撮影装置
２０  放射線発生装置
３０  被検者
４０  表示部
５０  グリッド
６０  入力部
１０１  撮影部
１０２  制御部
１１１  設定部
１１２  記憶部
１１３  選択部
１１４  保持部
１１５  線量指標取得部
１１６  算出部
１１７  画像処理部
１１８  表示制御部
【図１】
2020099827.tif 000003
【図２】
2020099827.tif 000004
【図３】
2020099827.tif 000005
【図４】
2020099827.tif 000006
【図５】
2020099827.tif 000007
【図６】
2020099827.tif 000008
【図７】
2020099827.tif 000009
【図８】
2020099827.tif 000010
【図９】
2020099827.tif 000011
【図１０】
2020099827.tif 000012